(57)【要約】【課題】持ち運びが便利で、側枠の脱着なしに、紙類を収納ケースから簡単な操作で取り出すことができる収納ケースを提供する。【解決手段】収容ケースは、上下が開放した収納ケース本体と、収納ケース本体の下端に回動可能に取付けた支え手段と、支え手段を回動させる回動手段と、を有する。また、回動手段は、上下動可能なプレートと、プレートの側方に配置されてプレートに連結され、かつ支え手段にそれぞれ連結された円盤とを有し、プレートが上方に移動させられたとき、支え手段を下方に回動させる。支え手段を上方の回動位置に付勢するばね手段をさらに有する。または、収納ケースは上部が開放され、下部に紙類を保持するフラップを有する収納ケース本体と、フラップが紙類を保持する紙類保持位置とフラップが紙類を排出できる紙類排出位置との間で開閉可能なフラップ開閉手段と、を有する。【選択図】  図１
2009132409.tif 000002
【特許請求の範囲】
【請求項１】
上下が開放した収納ケース本体と、該収納ケース本体の下端に回動可能に取付けた支え手段と、該支え手段を回動させる回動手段と、を有することを特徴とする収納ケース。
【請求項２】
請求項１記載の収納ケースにおいて、前記回動手段は、上下動可能なプレートと、該プレートの側部に配置されて該プレートに連結され、かつ前記支え手段に連結された円盤とを有し、前記プレートが上方に移動させられたとき、支え手段を下方に回動させることを特徴とする収納ケース。
【請求項３】
請求項１記載の収納ケースにおいて、前記回動手段は、上下動可能なプレートと、該プレートの側部に固定された第１のラックと、前記収納ケース本体に回転可能に取付けられ、前記第１のラックに係合するピニオンと、該ピニオンに係合し、垂直方に案内されるように前記収納ケース本体に取り付けられ、かつ前記支え手段に連結された第２のラックと、を有し、前記プレートが上方に移動させられたとき、前記支え手段を下方に回動させることを特徴とする収納ケース。
【請求項４】
請求項１記載の収納ケースにおいて、前記回動手段は、上下動可能なプレートと、変形可能な４本のロッドからなる組立体と、ロッドの上下の連結部分の各々をそれそれ上方および下方に案内するように前記収納ケース本体に形成された２つのスロットおよびロッドの横方向の連結部分の各々をそれぞれ水平方向に案内するように前記収納ケース本体に形成された２つのスロットと、を有し、前記プレートは上方に移動させられるロッドの延長部分に連結されており、前記支え手段は下方に移動させられるロッドの延長部分に連結されており、前記プレートが上方に移動させられたとき、前記支え手段を下方に回動させることを特徴とする収納ケース。
【請求項５】
請求項１記載の収納ケースにおいて、前記支え手段を上方の回動位置に付勢するばね手段をさらに有することを特徴とする収納ケース。
【請求項６】
請求項１〜５のいずれか１つに記載の収納ケースにおいて、収納ケース本体に回動可能に取付けられたレバーと、前記支え手段の先端下面をフックし、またはフック解除を行うように前記レバーに設けられたフックと、をさらに有することを特徴とする収納ケース。
【請求項７】
上部が開放され、下部に紙類を保持するフラップを有する収納ケース本体と、前記フラップが紙類を保持する紙類保持位置と前記フラップが紙類を排出できる紙類排出位置との間で開閉可能なフラップ開閉手段と、を有することを特徴とする収納ケース。
【請求項８】
請求項７記載の収納ケースにおいて、前記フラップ開閉手段は、フラップの下面を保持する位置とフラップを開放する位置との間で回動可能に収納ケース本体に取り付けられたフラップ開閉レバーと、前記開閉レバーと収納ケース本体の間に配置された駆動突起と、前記駆動突起を上方に移動するための駆動突起移動部材とからなることを特徴とする収納ケース。
【発明の詳細な説明】
【技術分野】
【０００１】
本発明は、収納ケースに関し、特に、新聞紙、紙、パンフレット、雑誌等の紙類を収容し、他の場所に移した後、取り出すのに適した収容ケースに関する。
【背景技術】
【０００２】
実開平６−３５１２１号公報は、収納ケースに溜まった新聞紙を紐で容易に束ねることができるように、底板を取り囲むように取り外し可能な側枠を設けることを開示している。
【特許文献１】実開平６−３５１２１号公報
【発明の開示】
【発明が解決しようとする課題】
【０００３】
実開平６−３５１２１号公報に開示してある収納ケースは、新聞紙を外に取り出すために、一旦収納ケースを下に置き、底板から側枠を取り外すために、側枠を持ち上げる必要があり、その後、新聞紙を収容箱に再度収容するために、底板に側枠を取付ける必要がある。
【０００４】
したがって、本発明の目的は、持ち運びが便利で、側枠の脱着なしに、紙類を収納ケース本体から簡単な操作で取り出すことができる収納ケースを提供することにある。
【課題を解決するための手段】
【０００５】
本発明の収納ケースは、上下が開放した収納ケース本体と、該収納ケース本体の下端に回動可能に取付けた支え手段棒と、該支え手段を回動させる回動手段と、を有することを特徴とする。
【０００６】
前記回動手段は、上下動可能なプレートと、該プレートの側方に配置されて該プレートに連結され、かつ前記支え手段にそれぞれ連結された円盤とを有し、前記プレートが上方に移動させられたとき、前記支え手段を下方に回動させることが好ましい。
【０００７】
また、前記回動手段は、上下動可能なプレートと、該プレートの側部に固定された第１のラックと、前記収納ケース本体に回転可能に取付けられ、前記第１のラックに係合するピニオンと、該ピニオンに係合し、垂直方に案内されるように前記収納ケース本体に取り付けられ、かつ前記支え手段に連結された第２のラックと、を有し、前記プレートが上方に移動させられたとき、前記支え手段を下方に回動させることが好ましい。
【０００８】
さらにまた、前記回動手段は、上下動可能なプレートと、変形可能な４本のロッドからなる組立体と、ロッドの上下の連結部分の各々をそれそれ上方および下方に案内するように前記収納ケース本体に形成された２つのスロットおよびロッドの横方向の連結部分の各々をそれぞれ水平方向に案内するように前記収納ケース本体に形成された２つのスロットと、を有し、前記プレートは上方に移動させられるロッドの延長部分に連結されており、前記支え手段は下方に移動させられるロッドの延長部分に連結されており、前記プレートが上方に移動させられたとき、前記支え手段を下方に回動させることが好ましい。
【０００９】
また、前記支え手段を上方の回動位置に付勢するばね手段をさらに有することが好ましい。さらにまた、収納ケース本体に回動可能に取付けられたレバーと、前記支え手段の先端下面をフックし、またはフック解除を行うように前記レバーに設けられたフックと、をさらに有することが好ましい。
【発明の効果】
【００１０】
本発明によれば、側枠の脱着なしに、紙類を収納ケース本体から簡単な操作で取り出すことができる収納ケースが得られる。
【発明を実施するための最良の形態】
【００１１】
本発明の収納ケースは、上下が開放した収納ケース本体と、該収納ケース本体の下端に回動可能に取付けた支え手段と、該支え手段を回動させる回動手段と、を有する。
【実施例】
【００１２】
（実施例１）
次に、図面を参照して本発明を説明する、図１は、収納ケースを示す図であり、図１ａはその正面図であり、図１ｂはその側面図であり、図１ｃはその底面図であり、図１ｄはその斜視図である。図２は収納ケースに備えられた回動手段を説明するための図であり、図２ａはプレートが下方の位置（収容位置）にある状態を示す概略正面図であり、図２ｂはプレートが下方の位置（紙類収容位置）にある状態のときの概略側面図であり、図２ｃはプレートが下方の位置（紙類開放位置）にある状態を示す概略正面図である。
【００１３】
図１に示すように、収納ケース１０は、例えば、上下が開放されたほぼ直方体の収納ケース本体１２を有する。収納ケース本体１２には、持ち運びが便利なように把手１７が取付けられていてもよい。収納ケース本体１２の側部には、フラップ１６を支えるように、または紙類を直接支えるように２つの支え手段１４を構成する例えば、ロッドまたはパネルが回動可能に取付けられている。支え手段１４を回動させるための回動手段２０（図２を参照して後述する）が支え手段の上方に設けられている。この回動手段は、収納ケース本体１２の両側部に設けられるのが好ましいが、一方の側部でもよい。
【００１４】
図２に示すように、プレート２２が設けられており、このプレート２２には、指で把持する把持部分２２ａが上端に設けられ、また、収納ケース本体１２に形成されたスロット１２ａに沿って上下動させるための段差のあるガイド部材２２ｂが設けられている。ガイド部材２２ｂには引っ張りばね２６の上端がかけられており、引っ張りばねの他方の下端は収納ケース本体１２に固定されている。このため、プレート２２は常時下方に付勢されている。
【００１５】
プレート２２の両側方で、円盤２４が収納ケース本体１２に回転可能に取付けられている。この円盤２４とプレート２２は所定個所でロッド３０によって連結されている。ロッド３０の一端は円盤２４に対して回動可能に、またロッドの他端はプレート２２に対して回動可能に連結されている。また円盤２４と支え手段１４は所定個所でロッド３２によって連結されている。ロッド３２の一端は円盤２４に対して回動可能に、またロッドの他端は支え手段１４に対して回動可能に連結されている。２つの円盤２４同士は下端で引っ張りばね２８によって連結されている。なお、この引っ張りばね２８は省略してもよい。
【００１６】
今、図２ａの状態において、プレート２２に指を掛けて矢印Ａに示すように上方に持ち上げると、円盤２４は矢印Ｅに示す方向に回転し、ロッド３２を下方にもたらし、その結果、支え手段１４は、支点１４ａを中心にして矢印Ｃに示すように回動する。図２ｃはこの状態を示す。このため、支え手段１４で支えられていたフラップ１６（図１参照）を支えなくなり、フラップ１６に蓄積されていた紙類が下方に排出されることになる。
【００１７】
図２ｃの状態から指をプレート２２から離すと、引っ張りばね２６によって、矢印Ｂの下方にプレート２２が移動され、この結果、支え手段１４も支点１４ａを中心として矢印Ｄの方向に回動し、自動的に元の状態（位置）に戻ることになる。このとき、円盤２４も引っ張りばね２８のために元の状態（位置）に戻る。
（実施例２）
図３は実施例２の回動手段を示す図である。図３において、プレート２２の両側には、ラック４０が固定されている（図３においては、一方のラック４０だけを示す）。ラック４０と係合するように、収納ケース本体１２（図１参照）に回転可能に取付けられたピニオン４２が配置されている。他のラック４４がラック４０の係合個所とは反対側でピニオン４２に係合し、矢印Ｂに示すように斜め下方に移動するように配置されている。支え手段１４は、支え手段１４に形成された案内溝１４ｃとラック４４の下端に設けられた、この案内溝１４ｃに沿って案内されるピン１４ｂによってラック４４に対して回動するように、ラック４４の下端のピン１４ｂに連結されている。
【００１８】
プレート２２を矢印Ａに示すように上方に移動させると、ラック４０、ピニオン４２を介して、ラック４４は矢印Ｂに示すように、斜め下方に移動し、この結果、支え手段１４は矢印Ｃで示すように、回動し、ほぼ垂直位置になる。
（実施例３）
図４は実施例３の回動手段を示す図である。図４において、４本のロッド５１〜５４で変形可能に連結されて構成されたパンタグラフ（組立体）が収納ケース本体１２（図１参照）に配置されている。ロッド５１、５２の連結部分は収納ケース本体１２に形成された垂直方向のスロット５５に沿って案内され、ロッド５１、５３の連結部分は収納ケース本体１２に形成された水平方向のスロット５７に沿って案内され、ロッド５３、５４の連結部分は収納ケース本体１２に形成された垂直方向のスロット５６に沿って案内され、ロッド５４、５２の連結部分はケース１２に形成された水平方向のスロット５８に沿って案内されるように構成されている。ロッド５２の延長部分５２ａはプレート２２と回動可能に連結され、ロッド５４の延長部分５４ａは支え手段１４と回動可能に連結されている。
【００１９】
プレート２２を上方に移動させると、ロッド５２の延長部分５２ａを介してパンタグラフを構成するロッドの連結部分は、それぞれ、矢印Ｂ、Ｅに示すように上下に移動し、矢印Ｃ、Ｄに示すように、内側に移動する。この結果、ロッド５４の延長部分５４ａは下方に移動し、支え手段１４は矢印Ｆで示すように、回動し、ほぼ垂直位置になる。
(実施例４)
図５は、実施例４のフック手段を示す図であり、図５ａは正面図であり、図５ｂは支え手段がフックされている状態を説明するための側面図であり、図５ｃは支え手段がフック解除されている状態を説明するための側面図である。実施例４のフック手段は、収納ケース本体１２に紙類を収納するときに、紙類の重みで支え手段１４が下方に回動するのを防止するためのものである。もちろん、このフック手段は省略できる。
【００２０】
図５において、プレート２２の上面には、レバー６０が支点６０ａを中心に回動可能に取付けられている。プレート２２とレバー６０の下側部分との間には、引っ張りばね６４が取付けられており、通常はレバー６０の下側部分とプレート２２を当接する方向に付勢している。レバーの下側部分の上面には例えばＬ字形状のフック６２が設けられている。これらのレバー６０、フック６２等でフック手段を構成している。
【００２１】
図５ｂに示すように、収納ケース本体１２に紙類を収納しているときには、フック６２が支え手段１４の先端の下面をフックしている。今、紙類を収納ケース本体の下側から排出しようとする場合、プレート２２を持ち上げる前に、引っ張りばね６４の力に抗して、レバー６０の上側部分をプレートに向かって押すと、図５ｃに示すように、フック６２の下端部分が支え手段１４から外れる。その後、実施例１〜３で説明したように、プレート２２を上方に移動して、支え手段を下方に回動させる。
【００２２】
前述の説明では、フック６２がレバー６０と別体として説明しているが、フック６２はレバー６０を延長させて形成してもよい。このフックの形状は任意の適当な形状であればよい。
（実施例５）
図６は実施例５を説明するための収納ケース本体だけを示す図であり、図６ａは収納ケース本体のフラップが紙類保持位置（閉位置）にある状態を示す概略斜視図であり、図６ｂは図６ａの状態のときの底面図であり、図６ｃは収納ケース本体のフラップが紙類排出位置（開位置）にある状態を示す概略斜視図であり、図６ｄは図６ｃの状態のときの底面図である。図７は実施例５の収納ケース本体とともにフラップの開閉を示す図であり、図７ａは収納ケース本体のフラップが紙類保持位置（閉位置）にある状態を示す正面図であり、図７ｂは収納ケース本体のフラップが紙類保持位置（閉位置）にある状態を示す側面図であり、図７ｃは収納ケース本体のフラップが紙類排出位置（開位置）にある状態を示す側面図である。
【００２３】
図６に示すように、この実施例５では、把手（図示せず）が設けられるのが好ましい収納ケース本体７２は下端に、例えば、台形状の４つのフラップ７２ａ〜７２ｄを有している。これらのフラップ７２ａ〜７２ｄは後述するフラップ開閉手段によって図６ａに示すフラップが紙類をほぼ水平に保持する紙類保持位置（閉位置）と図６ｃに示すフラップが下方に回動し紙類を排出できる紙類排出位置（開位置）にもたらされる。
【００２４】
今、図７ａ、図７ｂに示すように、フラップ７２ａ〜７２ｄは収納ケース本体７２に蝶番７４ａで回動可能に設けられた４つのフラップ開閉レバー（以下、単に開閉レバーという）７４によって紙類保持位置（閉位置）に水平に保持されている。開閉レバー７４と収納ケース本体７２の側壁との間が開閉レバー駆動突起（以下、単に駆動突起という）７６が配置されており、この駆動突起７６は収納ケース本体７２の周囲に設けられた駆動突起移動部材７８に連結されており、上方に移動されるようになっている。
【００２５】
説明の便宜上、フラップ７２ａ、７２ｃについてだけ説明すると、駆動突起移動部材７８を上方に持ち上げると、図７ｃに示すように、駆動突起７６が上方に持ち上げられ、これによって開閉レバー７４が外方に回動され、フラップ７２ａ、７２ｃから離れる。この結果、フラップ７２ａ、７２ｃは下方に回動し、紙類排出位置にもたらされる。ここで、開閉レバー７４、駆動突起７６および駆動突起移動部材７８はフラップ開閉手段を構成している。
【図面の簡単な説明】
【００２６】
【図１】収納ケースを示す図であり、図１ａはその正面図であり、図１ｂはその側面図であり、図１ｃはその底面図であり、図１ｄはその斜視図である。
【図２】収納ケースに備えられた回動手段を説明するための図であり、図２ａはプレートが下方の位置（収容位置）にある状態を示す概略正面図であり、図２ｂはプレートが下方の位置（紙類収容位置）にある状態のときの概略側面図であり、図２ｃはプレートが下方の位置（紙類開放位置）にある状態を示す概略正面図である。
【図３】実施例２の回動手段を示す図である。
【図４】実施例３の回動手段を示す図である。
【図５】実施例４のフック手段を示す図であり、図５ａは正面図であり、図５ｂは支え手段がフックされている状態を説明するための側面図であり、図５ｃは支え手段がフック解除されている状態を説明するための側面図である。
【図６】実施例５を説明するための収納ケース本体だけを示す図であり、図６ａは収納ケース本体のフラップが紙類保持位置（閉位置）にある状態を示す概略斜視図であり、図６ｂは図６ａの状態のときの底面図であり、図６ｃは収納ケース本体のフラップが紙類排出位置（開位置）にある状態を示す概略斜視図であり、図６ｄは図６ｃの状態のときの底面図である。
【図７】実施例５の収納ケース本体とともにフラップの開閉を示す図であり、図７ａは収納ケース本体のフラップが紙類保持位置（閉位置）にある状態を示す正面図であり、図７ｂは収納ケース本体のフラップが紙類保持位置（閉位置）にある状態を示す側面図であり、図７ｃは収納ケース本体のフラップが紙類排出位置（開位置）にある状態を示す側面図である。
【符号の説明】
【００２７】
１０  収納ケース
１２  収納ケース本体
１４  支え棒
１６  フラップ
２０  回動手段
２２  プレート
２４  円盤
２６  引っ張りばね
２８  引っ張りばね
４０  ラック
４２  ピニオン
４４  ラック
５１〜５４  ロッド
５６〜５８  スロット
６０  レバー
６２  フック
７０  収納ケース
７２  収納ケース本体
７２ａ  フラップ
７２ｂ  フラップ
７２ｃ  フラップ
７２ｄ  フラップ
７４    フラップ開閉レバー
７４ａ  蝶番
７６    フラップ開閉レバー駆動突起
７８    フラップ開閉レバー駆動突起移動部材
【図１】
2009132409.tif 000003
【図２】
2009132409.tif 000004
【図３】
2009132409.tif 000005
【図４】
2009132409.tif 000006
【図５】
2009132409.tif 000007
【図６】
2009132409.tif 000008
【図７】
2009132409.tif 000009